(57)【要約】【課題】操作に不慣れな利用者にとって、指紋登録・照合操作の操作性のよい自動取引装置を提供する。【解決手段】ＡＴＭ１の操作・表示部に指紋読取部が設けられ、表示部のガイダンスに従い、利用者が自ら選択した指をタッチパネル７１の上に位置付けると、指紋読取部７２により指紋画像が取得され、利用者の適否が判断され取引を行うことができる。【選択図】    図３（ｂ）
2006018613.tif 000002
【特許請求の範囲】
【請求項１】
操作を案内表示するとともに所望の情報入力を行う情報表示・入力部を備えた自動取引装置において、
前記情報表示・入力部に、利用者の指紋を読み取る指紋読取部を設け、
前記情報表示・入力部の案内表示に基づき、前記指紋読取部で指紋情報を読み取ることにより、利用者の適否を判断して取引を行うことを特徴とする自動取引装置。
【請求項２】
前記情報表示・入力部は、タッチパネル部、指紋読取部及び表示部を備え、該表示部の表示に従い前記タッチパネル部に位置付けられた利用者の指紋を、前記指紋読取部により取得することを特徴とする請求項１記載の自動取引装置。
【請求項３】
前記情報表示・入力部は、指を位置付けるためのガイダンス表示を行うとともに、指の位置付けが不適切な場合には、指位置の修正を案内することを特徴とする請求項１又は請求項２記載の自動取引装置。
【請求項４】
前記情報表示・入力部は、タッチパネル付表示部及び入力指示キ−を備え、該入力指示キーに設けられた指紋読取部により、該入力指示キーを押下した利用者の指紋を取得することを特徴とする請求項１記載の自動取引装置。
【発明の詳細な説明】
【技術分野】
【０００１】
本発明は、取引利用者が正当な者であるか否か（適否）の確認に利用者の指紋データを用いた自動取引装置に関する。
【背景技術】
【０００２】
従来、利用者の適否を確認して取引を実現する装置として、例えば、金融機関の店舗に設けられるＡＴＭ（Ａｕｔｏｍａｔｅｄ Ｔｅｌｌｅｒｓ Ｍａｃｈｉｎｅ）がある。従来のＡＴＭでは、利用者が挿入したキャッシュカード内の口座情報及び利用者が入力した暗証番号をホストコンピュータで照合して、利用者の適否を確認した後、口座からの紙幣の支払いなどを行うようにしている。一方、近年は利用者の適否を確認する方法として、利用者の指紋を採取して予め登録してある指紋データと照合し、登録された指紋であるか確認することにより、利用者の適否を確認して取引を行う装置が提案されている。
【特許文献１】特開平１０−１３４２２９号公報
【発明の開示】
【発明が解決しようとする課題】
【０００３】
しかしながら、従来の自動取引装置にあっては、指紋を取得する際に個別に設けられた指紋センサに指を位置付けることにより、指紋読み取りが行われていたため、操作に不慣れな利用者は指紋採取にあたって、どこにどのように指を位置付けたらよいのか戸惑ってしまうという問題点があった。
本発明は、指紋照合により取引を行う自動取引装置において、指紋採取の操作性を向上することを目的としている。
【課題を解決するための手段】
【０００４】
本発明は以上の点を解決するため次の構成を採用する。
＜構成１＞操作を案内表示するとともに所望の情報入力を行う情報表示・入力部を備えた自動取引装置において、情報表示・入力部に、利用者の指紋を読み取る指紋読取部を設け、情報表示・入力部の案内表示に基づき、指紋読取部で指紋情報を読み取ることにより、利用者の適否を判断して取引を行うことを特徴とする自動取引装置。
【０００５】
＜構成２＞上記情報表示・入力部は、タッチパネル部、指紋読取部及び表示部を備え、該表示部の表示に従いタッチパネル部に位置付けられた利用者の指紋を、指紋読取部により取得することを特徴とする請求項１記載の自動取引装置。
【０００６】
＜構成３＞上記情報表示・入力部は、指を位置付けるためのガイダンス表示を行うとともに、指の位置付けが不適切な場合には、指位置の修正を案内することを特徴とする請求項１又は請求項２記載の自動取引装置。
【０００７】
＜構成４＞上記情報表示・入力部は、タッチパネル付表示部及び入力指示キ−を備え、該入力指示キーに設けられた指紋読取部により、該入力指示キーを押下した利用者の指紋を取得することを特徴とする請求項１記載の自動取引装置。
【発明の効果】
【０００８】
本発明では、情報表示・入力部に指紋読取部を設けるとともに、その情報表示・入力部の案内表示に基づいて操作をすると自動的に指紋読取部で指紋情報を読み取るように構成したので、通常の情報入力と同様の操作で指紋採取をすることができ、不慣れな利用者にとって操作性がよいという効果を奏する。
【発明を実施するための最良の形態】
【０００９】
本発明の実施の形態について図面を参照しながら説明する。尚、各図面に共通な要素には同一符号を付す。
【００１０】
第１の実施の形態
（１）自動取引装置の構成
図１は、自動取引装置の例としての、ＡＴＭ１の概観斜視図であり、図２はＡＴＭ１のブロック図である。図においてＡＴＭ１は銀行等の金融機関に設置されているもので、利用者から見えるところとして、利用者案内表示パネル２、通帳挿入・排出口３、カード挿入・排出口/明細票排出口４、紙幣投入・排出口５、硬貨投入・排出口６、タッチパネル付き表示部７、近接センサ８等を備えている。
【００１１】
利用者案内表示パネル２は、そのＡＴＭ１で取り扱うことができる取引などを表示するもので、利用者案内部２１により表示制御されている。通帳挿入口３は、搬送路を介して通帳処理部３１に接続され、利用者が挿入した通帳への印字やＭＳ（磁気ストライプ）リード・ライトなどの処理が行われる。カード挿入・排出口/明細票排出口４には、カード４３の挿入・排出口と明細票４４の排出口が例えば上下に隣接して設けられているものである。挿入されたカードはカード処理部４１でカードに設けられたＭＳのリード・ライトなどの処理が行われる。
【００１２】
また、明細票発行部４２で取引情報が印字された明細票４４が明細票排出口から排出され利用者に渡される。紙幣投入・排出口５は、紙幣入出金部５１に設けられた紙幣の投入・排出口であり、利用者が投入した入金紙幣を受け入れ、また利用者へ払い出す紙幣を排出するものである。硬貨投入・排出口６は、硬貨入出金部６１に設けられた硬貨の投入・排出口であり、利用者が投入した入金硬貨を受け入れ、また利用者へ払い出す硬貨を排出するものである。なお、図２における通帳挿入・排出口３、カード挿入・排出口/明細票排出口４、紙幣投入・排出口５、硬貨投入・排出口６の位置関係は説明の都合によるものであり、それぞれ図１に示す位置に配置されている。
【００１３】
タッチパネル付き表示部７は、タッチパネルによる入力部であり、情報・入力部として機能する。なお、本実施の形態では、光学式のタッチパネル７１と表示部７３で構成されている。また、ＡＴＭ１の前面には、利用者がＡＴＭ１のところに居ることを検出する近接センサ８が設けられている。これら、各部は制御部９に接続され、制御部９の制御に各動作を行う。また、制御部９には、電源部９１、記憶部９２、ＩＦ部９３が接続されており、ＡＴＭ１は、ＩＦ９３を介してホストコンピュータ２００、記憶装置３００に接続されている。
【００１４】
次に、タッチパネル付き表示部７の構成について図３（ａ）、図３（ｂ）を用いて説明する。図３（ａ）は、タッチパネル付き表示部７の構造を示す図であり、利用者に近いところから、タッチパネル７１、指紋読取部７２、表示部７３の順で積載されている。図３（ｂ）は、タッチパネル付き表示部７の平面図であるが、一部内部を透過させて示している。図３（ａ）、（ｂ）において、タッチパネル７１は、光学式タッチパネルであり、透明ガラス７１ｅを囲んで、複数の発光素子７１ａ、７１ｃ及び受光素子７１ｂ、７１ｄが対向して配置されている。
【００１５】
利用者が、表示部７３のガイダンスに従って、キーが表示されている位置の透明ガラス７１ｅをタッチすると、利用者の指し示した位置を上記複数の発光素子７１ａ、７１ｃ及び受光素子７１ｂ、７１ｄによって検出するようになっている。次に、指紋読取部７２は、センサ７２ａをセンサ軸７２ｂで軸支し、このセンサ軸７２ｂをセンサ駆動手段７２ｃによって支えるとともに図面の左右方向に移動可能に設けられている。
【００１６】
なお、センサ駆動手段７２ｃはローラ、ベルトやモータなどで構成され、図示せぬ駆動回路によってその動作が制御されている。このような構成により、センサ７２ａは表示部７３の表示領域内の所定範囲を走査して、透明ガラス７１ｅに位置付けられた利用者の指の指紋画像を取得できるようになっている。また、センサ７２ａで取得される指紋画像は指紋画像処理部７４で処理され、指紋画像の認識のために処理された指紋情報は制御部９へと送られる。
【００１７】
（２）自動取引装置による指紋登録
図４及び図５を用いて、ＡＴＭ１による指紋登録操作を説明する。
【００１８】
図４は、指紋登録のフローチャートである。ＡＴＭ１は、利用者による取引選択待ちの状態においては、タッチパネル付き表示部７に取扱い可能な取引を表示し、利用者による選択を促す。この状態において、利用者によって「指紋登録」の取引が選択されると（Ｓ１）、ＡＴＭ１はタッチパネル付き表示部７によってカード挿入を利用者に促す。利用者がこの案内画面に従いカードを挿入すると、カード処理部４１はカードのＭＳに記録された口座番号を読み取る（Ｓ２）。
【００１９】
続いて、タッチパネル付き表示部７の案内に従い、利用者が暗証番号を入力すると（Ｓ３）、ＡＴＭ１は、ＩＦ部９３を介してホストコンピュータ２００に利用者の口座番号と暗証番号を送信して、入力された暗証番号が登録された暗証番号と一致するか否か、即ち利用者の適否（利用者が本人か否か）を確認する（Ｓ５）。この結果入力された暗証番号が登録されたものと一致しない場合（ＮＧの場合）には、暗証番号の再入力が促される（Ｓ３）。一方、暗証番号が一致した場合（ＯＫの場合）には、指紋登録の処理に移行する。
【００２０】
指紋登録処理については、画面表示例（図５（ａ）〜（ｆ））を参照しつつ説明する。Ｓ５で暗証番号が一致した場合には、図５（ａ）の画面を表示して利用者に指紋を登録する指の指定を促す。図５（ａ）では、登録する人が本人であることを表示した上で、登録する手（右手か左手か）及び登録する指を指定させる表示を行っている。利用者はこの表示に従い、希望する手と指の文字のところを選択することにより、指を選択することができる。選択された手及び指（例えば、右手の人差し指）の表示は反転表示となり、選択された手と指がわかるように表示される。
【００２１】
利用者による選択が終了したら、「登録画面へ」の表示をタッチするように指示しており、利用者が「登録画面へ」の表示をタッチすることにより、次の画面に切り替わる。なお、「登録画面へ」の表示をタッチするまでの間は、一旦選択した手や指以外のものがタッチされることにより、手と指の選択を変更するができる。図５（ｂ）は、指紋登録の画面例である。ここでは、図５（ａ）の画面で指紋を登録する指として右手の人差し指が選択された場合を示している。
【００２２】
図５（ｂ）に示すように、表示部７３には、画面の右上に指のイメージとともに認識エリアを示す点線が表示された「指セットエリア」が示されている。利用者が、この「指セットエリア」の指の位置に右手人差し指をおくと、タッチパネル７１の発光素子７１ａ、７１ｃ、受光素子７１ｂ、７１ｄにより、利用者が指をおいたことが検出される。利用者が指紋登録用の指をタッチパネル７１の透明ガラス７１ｅに位置付けたことを検出すると、制御部９はセンサ駆動手段７２ｃを駆動して、センサ７２ａを走査して利用者の指の画像を取得する（Ｓ７）。
【００２３】
このようにして取得された指の画像は指紋画像処理部７４で処理され制御部９へ送られる。そして、制御部９では、データのチェックがなされる（Ｓ８）。具体的には、取得された指紋画像に欠けがないか、ぼけていないか、などがチェックされる。この結果、欠落画像が所定割合以上である等、取得した指紋画像が登録に適さないと判断された場合には、登録する指の変更を促し、図５（ａ）により登録する指の再指定を促す（Ｓ６）。また、登録が許可された場合には、追加の指紋データを登録するか否かを利用者に照会する（Ｓ９）。
【００２４】
例えば、右手の人差し指を登録した後、左手の人差し指も登録しておきたい場合には、図示せぬ照会画面の表示に従い、利用者は追加登録の希望を選択する。追加登録の希望が選択された場合には、図５（ｃ）及び図５（ｄ）を表示して先の登録と同様に追加する指の指紋登録が行われる（Ｓ６〜Ｓ９）。
【００２５】
なお、追加登録の場合には、先に登録を希望した指と同じ指が選択されないように、先に指紋画像を取得済みの指を表示するようにしてもよい。また、先に取得した指と同じ指が選択された場合には、「その指は既に指紋取得済みです。」等のガイダンスを行ってもよい。
【００２６】
続いて、本人の指紋登録が終了すると、代理人の指紋登録の要否が照会される（Ｓ１０）。図示せぬ照会画面の表示に従い、利用者が代理人登録の希望を選択すると、図５（ｅ）及び（ｆ）を表示部７３に表示し、前述した本人の指紋登録と同様の操作で代理人の指紋登録処理が行われる（Ｓ１１）。代理人の指紋登録が終了した場合又は代理人の指紋登録を利用者が希望しなかった場合には、取得した指紋データを店内サーバに登録して処理を終了する（Ｓ１２、Ｓ１４）。
【００２７】
なお、一旦店内サーバに登録された指紋データは、ホストコンピュータ２００に送信され、口座番号と対応付けて登録される。ホストコンピュータへのデータ登録の例を図６に示す。図６に示すように、指紋データを登録する場合には、口座情報である金融機関コード、支店コード、口座科目コード、口座番号、口座名義氏名と併せて、指紋データが登録されているか否かを示す「指紋データ有無識別記号」（例えば、登録されていれば「１」、登録されていなければ「０」）を登録する。
【００２８】
また、本人の指紋データとしては、第一候補の指の種別（例えば、右手の人差し指）及びその指の指紋データが登録される。さらに、本人の希望により、追加で他の指も登録した場合には、「第二候補」として、別の指の種別及びその指紋データが登録される。さらに、本人の希望により、代理人の指紋データの登録がなされた場合には、代理人の第一候補（希望により第二候補）の指の種別及び指紋データが登録される。
【００２９】
なお、図６では、第二候補の指までを登録する例を示したが、第三、第四候補の指について種別データ及び指紋データを登録するようにしてもよい。また、登録する指としては、10本すべての指を登録できるようにしてもよいが、図５（ａ）、（ｃ）、（ｅ）に示すように、登録照合に好ましい指として、人差し指、中指、親指を選別してこれらのみを表示するようにしてもよい。
【００３０】
また、タッチパネル付き表示部７の取り付け方法に応じて、特定の指を推奨するようにしてもよい。例えば、図１のようにタッチパネル付き表示部７が上向きに取り付けられている場合には、「人差し指」を推奨し、タッチパネル付き表示部７がＡＴＭ１の垂直面側に取り付けられている場合には、「親指」を推奨する。推奨する場合には、例えば、図５（ａ）において、「人差し指」を推奨する場合には、「人差し指（推奨）」と表示し、「親指」を推奨する場合には、「親指（推奨）」と表示する。指によって、タッチパネル付き表示部7への操作の行い易さに違いが生じる場合もあるので、このように登録する指を推奨するのが好ましい。さらに、タッチパネル付き表示部７の取り付け方に応じて推奨するようにするとよい。
【００３１】
なお、本実施の形態では、ＡＴＭ１で指紋を登録するようにしたので、利便性が良いという効果が得られる。また、登録に際してタッチパネル付き表示部に表示案内に従い、タッチパネルに指をタッチするという操作によって、指紋画像が取得されデータ登録が行われるので、利用者は通常の取引操作と同様の操作を行えばよく、指紋画像を取得するという特別な処理であっても、迷うことなく操作を行うことができる。
【００３２】
なお、図５（ｂ）において、利用者が「指セットエリア」に指をおいたときに、タッチパネル７１の発光素子７１ａ、７１ｃ、受光素子７１ｂ、７１ｄにより、利用者の他の指を検出してしまう場合も想定される。このような場合を想定して、制御部は、「指セットエリア」への指のセットが検出された場合には、他のエリアへの指のタッチが検出されても、無視するように制御する。
【００３３】
（３）自動取引装置による指紋照合
次に、登録した指紋データに基づき取引を行う例を説明する。
図７は、ＡＴＭ１における指紋により利用者の適否を判断して取引を行う例を示すフローチャートであり、図８（ａ）〜（ｃ）は画面表示例である。
【００３４】
図７において、利用者がＡＴＭ１のタッチパネル付き表示部７に表示された、取引選択画面において「支払い」取引を選択すると（Ｓ３０）、ＡＴＭ１は利用者にカードを挿入するように促す。これにより、利用者がカードを挿入すると、ＡＴＭ１はカード処理部４１でカードのＭＳを読み取り、口座番号など口座情報を認識する（Ｓ３１）。ＡＴＭ１は、ＩＦ部９３を介してホストコンピュータ２００に利用者の口座番号を送信して、当該口座に指紋が登録されているか否かを問い合わせる（Ｓ３２、Ｓ３３）。具体的には、ホストコンピュータ２００の記録装置３００に登録されている口座情報（図６）の中の、「指紋データ有無識別記号」に基づき、当該口座に指紋が登録されているか否かを問い合わせる。
【００３５】
ホストコンピュータ２００に指紋が登録されている場合にＡＴＭ１は、表示部７３に図８（ａ）に示すような指紋照合の操作案内表示を行う（Ｓ３５）。図８（ａ）の表示例は、本人の指紋データの第一候補として、右手の中指の指紋が登録されている例を示している。なお、利用者が照合する指を他の指（右手の人差し指など）に変更したい場合には、「本人の他の指」の表示を選択するよう促している。また、利用者が代理人の指により照合を行い、取引を実行したい場合には、「代理人でのお取引」の表示を選択するように促している。
【００３６】
利用者が、表示された指の指紋により利用者の照合を希望する場合には、「指セットエリア」に指を置く。タッチパネル７１の発光素子７１ａ、７１ｃ、受光素子７１ｂ、７１ｄにより、利用者が指をタッチパネル７１の透明ガラス７１ｅに位置付けたことを検出すると、制御部９はセンサ駆動手段７２ｃを駆動して、センサ７２ａを走査して利用者の指の画像を取得する（Ｓ３６）。このようにして取得された指の画像は指紋画像処理部７４で処理され制御部９へ送られる。
【００３７】
そして、制御部９が取得した指紋データをホストコンピュータ２００に送信すると、ホストコンピュータ２００は、送信された指紋データが口座情報として記録されている指紋データと照合され（Ｓ３７）、登録されているものであるときは（ＯＫ）、取引を許可する。表示部７３は、支払い取引の取引金額入力のガイダンスを表示し（Ｓ３８）、これに従い利用者が取引金額を入力すると、ホストコンピュータ２００と通信を行い（Ｓ３９）、残高以内であれば紙幣入出金部５１や硬貨入出金部６１で支払い現金を搬送し、紙幣投入・排出口５や硬貨投入・排出口６から現金を払い出す（Ｓ４０）。ＡＴＭ１は、利用者に現金を放出するとともに、明細票発行部４２で取引内容を印字した明細票４４と利用者が挿入したカード４３をカード挿入・排出口／明細票排出口４から放出する。
【００３８】
なお、図８（ａ）の表示ガイダンスにおいて、利用者が「本人の他の指」を選択した場合には、図８（ｂ）を表示して、利用者に照合する指の選択を促す（Ｓ４２）。図８（ｂ）においては、照合する人が「本人」であることが表示されている。そして、照合する手と指を選択するようになっている。なお、照合する手については、左右いずれか一方しか登録された手がない場合には、一方のみが表示される。また、指についても、指紋が登録されている指だけが表示される。
【００３９】
また、Ｓ３７において、取得した利用者の指紋データと登録された指紋データとを照合した結果、該当するデータでなかった場合（ＮＧ）には、利用者に対して、指を変えて照合するか否かを照会する（Ｓ４６）。利用者が、指を変えて照合することを希望した場合には、Ｓ３４から繰り返し、利用者が指の変更を希望しない場合には、利用者の適否が確認できないとして、取引を終了する。この場合には、表示部７３に「利用者の確認ができませんでしたので、お取り扱いできません。」と表示して、取引選択画面に戻る。
【００４０】
また、図８（ａ）の表示ガイダンスにおいて、利用者が「代理人でのお取引」を選択した場合、図８（ｃ）を表示して、代理人の指の選択を促す（Ｓ４２）。
図８（ｂ）においては、照合する人が「代理人」であることが表示されている。そして、照合する手と指を選択するようになっている。なお、照合する手については、左右いずれか一方しか登録された手がない場合には、一方のみが表示される。また、指についても、指紋が登録されている指だけが表示される。
【００４１】
次に、図８（ａ）において、利用者が画面右上部の「指セットエリア」に指を置いたが、指の位置が適切でなかった場合の動作について説明する。
図７のフローチャートのＳ３６において、タッチパネル７１の発光素子７１ａ、７１ｃ、受光素子７１ｂ、７１ｄにより、利用者が指をタッチパネル７１の透明ガラス７１ｅ上の、「指セットエリア」に指を位置付けたことを検出すると、制御部９はセンサ駆動手段７２ｃを駆動して、センサ７２ａを走査して利用者の指の画像を取得するが、取得した画像の輪郭から、指紋部分の画像が取得されていないと制御部９が判断した場合には、「指セットエリア」より、ずれて指がセットされたと判断し、表示部７３に図８（ｄ）のガイダンスを表示する。この図では、取得した指紋画像において、指紋画像の画面上側が欠落していたため、指のセット位置を画面下方向に１ｃｍずらすように促している。なお、指をずらすように指示する距離は、取得された画像を解析することにより制御部９にて算出する。
【００４２】
本実施の形態では、情報表示・入力部としてのタッチパネル付き表示部に指紋読取部を一体に設け、表示部の案内に従ってタッチパネルに位置付けられた指の画像を指紋読取部で読み取るようにしたので、利用者は、タッチパネルのガイダンスに従って、タッチパネル上で指をセットすれば指紋画像を取得できる。従って、指紋画像取得操作に不慣れな利用者であっても、違和感なく指紋画像取得をすることができる。また、これにより操作ミスの低減が図られる。
また、本実施の形態では、タッチパネルと表示部との間に設けた指紋センサを移動するようにしたので、小型のセンサで広い領域の指紋画像を取得することができ、低コスト化が図れる。また、さらにセンササイズや移動範囲を広範にすることにより、さらに広い領域の画像を取得することができ、例えば複数の指の画像を一度に取得することも可能となる。
また、本実施の形態では、複数の指を登録することにより、照合の際に指を選択できるので、例えば、指にけがをしている場合にも、けがをしていない指を使って照合し取引を行うことができるため利便性の向上が図れる。
【００４３】
第２の実施の形態
図９及び図１０は、第２の実施の形態による情報表示・入力部の例である。
図において、７はタッチパネル付き表示部、１０１は点字付きのテンキーであり、１０２は点字付きの確認キーである。この確認キーは、入力を指示するキーの一例であり、入力指示キーとして機能するものであれば、「入力キー」や「送信キー」等であってもよい。
図１０は、確認キー１０２の構造概略図であり、確認キー１０２の表面には、ガラス１０２ａと、センサ１０２ｂが実装され、この確認キーを非押下の状態に保つために、ばね１０２ｃが設けられ、さらにこの確認キーの押下を検出するために、スイッチ１０２ｄが設けられている。
【００４４】
図９及び図１０を用いた動作の例を説明する。
第１の実施の形態においては、タッチパネル上においた指の画像を取得するようにしたが、視覚障害者を考慮すると、点字付きのキーの方がよい場合もある。本実施の形態は、そのような場合に有効である。
本実施の形態では、暗証番号との併用を想定しており、利用者がカードを挿入して暗証番号、取引金額を入力した後に確認ボタン１０２を押下する。すると、制御部は、スイッチ１０２ｂにより確認キー１０２が押下されたことを検出して、センサ１０２ｂによって、利用者の指紋画像を取得する。
【００４５】
このようにして取得された指の画像は指紋画像処理部７４で処理され制御部９へ送られる。そして、制御部９が取得した指紋データをホストコンピュータ２００に送信すると、ホストコンピュータ２００は、送信された指紋データが口座情報として記録されている指紋データと照合され、登録されているものであるときは（ＯＫ）、取引を許可する。
【００４６】
表示部７３は、支払い取引の取引金額入力のガイダンスを表示し、これに従い利用者が取引金額を入力すると、ホストコンピュータ２００と通信を行い、残高以内であれば紙幣入出金部５１や硬貨入出金部６１で支払い現金を搬送し、紙幣投入・排出口５や硬貨投入・排出口６から現金を払い出す。ＡＴＭ１は、利用者に現金を放出するとともに、明細票発行部４２で取引内容を印字した明細票４４と利用者が挿入したカード４３をカード挿入・排出口／明細票排出口４から放出する。
【００４７】
このように、第２の実施の形態によれば、クリック感のある入力指示キーに指紋画像取得手段を設けたので、利用者が入力状況を確実に把握しながら、指紋取得を行うことができる。また、取引中の操作ガイダンスに従い指紋を取得するので、操作に不慣れな利用者であっても、顧客操作が簡便化される。また、特別な操作を必要としないので、利用者の心理的負担が少ない。
【００４８】
第３の実施の形態
図１１を用いて第３の実施の形態を説明する。図１１は、取引における暗証番号入力の際の画面表示例を示している。本実施の形態においては、基本的な構成は、第1の実施の形態と同じであるので、相違するところを説明する。本実施の形態におけるタッチパネル付き表示部７の構成は、図３（ａ）、図３（ｂ）と同様であるが、センサ７２ａにより指紋を取得するエリアが、図１１の右下（点線で示した「指セットエリア」）となっている。
【００４９】
利用者が、表示部７３の案内に従って、暗証番号を４桁入力すると、「＊＊＊＊」と表示されるので、利用者は、「入力」の位置をタッチする。複数の発光素子７１ａ、７１ｃ及び受光素子７１ｂ、７１ｄによって利用者が「指セットエリア」をタッチしたことを検出した場合には、制御部９はセンサ駆動手段７２ｃを駆動して、センサ７２ａを走査して利用者の指の画像を取得する。なお、照合の場合を説明したが、登録を行う場合にも適用することができる。
【００５０】
第３の実施の形態では、入力部としてのタッチパネルへの入力操作と協働して指の画像を取得するので、不慣れな利用者が指を置く位置に迷ったりすることが少なく、操作性に優れた自動取引装置を提供することができる。
【００５１】
なお、上記実施の形態では、自動取引装置で指紋の登録を行う例を説明したが、別の専用機で登録するようにしてもよい。また、指紋が押印された登録用紙を読み取って画像を取得するようにしてもよい。
また、指紋データの再読み取りチェックの結果、再読み取りが必要となった場合、登録する指を変更するかどうか照会したが、同じ指を何回か取得する処理を行った後に、指を変更するようにしてもよい。
また、指紋画像を取得する間は指が動かないようにするのが好ましいので、指紋画像を取得している間は、表示部に「指紋取得中です。指を動かさないでください。」と案内するとともに、取得が完了した場合には、「指紋取得が完了しました。指を離しても結構です。」と案内することが望ましい。
また、本実施の形態では、ホストコンピュータの記憶装置に指紋データを登録する例を記載しているが、指紋データの部分は、店内サーバに登録しておくようにしてもよい。
また、第１の実施の形態では、タッチパネルのガラスと指紋センサとを別に設けたが、透明な指紋センサをタッチパネルに埋め込み、一体型としてもよい。
また、第1の実施の形態では、親指、人差し指、薬指の中から登録する指を選択させるようにしているが、これに限らずすべての指を選択するようにしてもよい。なお、登録のしやすさなどを考慮すると、親指、人差し指、薬指を候補とするのが望ましい。
また、本実施の形態では、自動取引装置への適用例を説明したが、情報表示・入力部を備えて指紋照合を行う端末であれば、他の装置へも適用することは可能である。
【図面の簡単な説明】
【００５２】
【図１】第１の実施の形態におけるＡＴＭ１の外観斜視図である。
【図２】ＡＴＭ１のブロック図である。
【図３（ａ）】タッチパネル付き表示部７の構造を示す図である。
【図３（ｂ）】タッチパネル付き表示部７の平面図である。
【図４】ＡＴＭ１による指紋登録のフローチャートである。
【図５（ａ）】指紋登録の際の画面表示例である。
【図５（ｂ）】指紋登録の際の画面表示例である。
【図５（ｃ）】指紋登録の際の画面表示例である。
【図５（ｄ）】指紋登録の際の画面表示例である。
【図５（ｅ）】指紋登録の際の画面表示例である。
【図５（ｆ）】指紋登録の際の画面表示例である。
【図６】ホストコンピュータへのデータ登録の例である。
【図７】ＡＴＭ１による指紋照合を用いた取引を行う際のフローチャートである。
【図８（ａ）】指紋照合の際の画面表示例である。
【図８（ｂ）】指紋照合の際の画面表示例である。
【図８（ｃ）】指紋照合の際の画面表示例である。
【図８（ｄ）】指紋照合の際の画面表示例である。
【図９】第２の実施の形態における表示部付き操作部の例である。
【図１０】第２の実施の形態におけるテンキーの構造図である。
【図１１】第３の実施の形態における画面表示例である。
【符号の説明】
【００５３】
１  ＡＴＭ
２  利用者案内表示パネル
３  通帳挿入・排出口
４  カード挿入・排出口/明細票排出口４
５  紙幣投入・排出口
６  硬貨投入・排出口
７  タッチパネル付き表示部
７１  タッチパネル
７１ａ、ｃ  発光素子
７１ｂ、ｄ  受光素子
７１ｅ  透明ガラス
７２  指紋読取部
７２ａ  センサ
７２ｂ  センサ軸
７２ｃ  センサ駆動手段
７３  表示部
７４  指紋画像処理部
８  近接センサ
９  制御部
２００  ホストコンピュータ
３００  記憶装置
【図１】
2006018613.tif 000003
【図２】
2006018613.tif 000004
【図３（ａ）】
2006018613.tif 000005
【図３（ｂ）】
2006018613.tif 000006
【図４】
2006018613.tif 000007
【図５（ａ）】
2006018613.tif 000008
【図５（ｂ）】
2006018613.tif 000009
【図５（ｃ）】
2006018613.tif 000010
【図５（ｄ）】
2006018613.tif 000011
【図５（ｅ）】
2006018613.tif 000012
【図５（ｆ）】
2006018613.tif 000013
【図６】
2006018613.tif 000014
【図７】
2006018613.tif 000015
【図８（ａ）】
2006018613.tif 000016
【図８（ｂ）】
2006018613.tif 000017
【図８（ｃ）】
2006018613.tif 000018
【図８（ｄ）】
2006018613.tif 000019
【図９】
2006018613.tif 000020
【図１０】
2006018613.tif 000021
【図１１】
2006018613.tif 000022